(57)【要約】【課題】発光素子の放熱効果に優れ発光素子の性能の維持と耐久性の向上を図ることができる光ピックアップ装置、これを備えた光ディスク装置、およびその製造方法を提供する。【解決手段】光ピックアップ装置は、ピックアップベース１２と、光学系と、光学系に対して位置調整された状態でピックアップベースに固定され、レーザ光を出射する発光素子１６と、発光素子の熱をピックアップベースに伝熱する伝熱ホルダ４０と、を備えている。伝熱ホルダは、ホルダベース４２、および発光素子を覆ってホルダベースに重ねて配設されたホルダ本体４４を有している。ホルダベースは、発光素子を挿通可能に発光素子を囲んで配設され、当接面に面接触した平坦な第１接触面４２ａと、第１接触面と反対側に位置した球面状の第２接触面４２ｂと、を有している。ホルダ本体は、ホルダベースの第２接触面に面接触した球状の第３接触面４４ａと、第３接触面に形成され発光素子に接触した内面を有する係合凹所４６とを有している。【選択図】    図２
2008299973.tif 000002
【特許請求の範囲】
【請求項１】
ピックアップベースと、
前記ピックアップベースに保持された光学系と、
前記光学系に対して位置調整された状態で前記ピックアップベースに固定され、レーザ光を出射する発光素子と、
前記発光素子に接触して前記ピックアップベースに取り付けられ、前記発光素子の熱を前記ピックアップベースに伝熱する伝熱ホルダと、を備え、
前記ピックアップベースは、前記発光素子に隣接して位置した平坦な当接面を有し、
前記伝熱ホルダは、
前記発光素子を挿通可能に発光素子を囲んで配設され、前記当接面に面接触した平坦な第１接触面と、この第１接触面と反対側に位置した球面状の第２接触面と、を有し、前記発光素子に対して前記当接面の面方向に沿って移動可能なホルダベースと、
前記発光素子を覆って前記ホルダベースに重ねて設けられ、前記ホルダベースの第２接触面に面接触した球状の第３接触面と、前記第３接触面に形成され前記発光素子に接触した内面を有する係合凹所とを備えたホルダ本体と、を具備している光ピックアップ装置。
【請求項２】
前記発光素子は、出射端を有した筒状のキャップ部と、前記キャップ部の他端に設けられキャップ部よりも大径のステム部とを有するレーザダイオードであり、
前記レーザダイオードは、そのキャップ部が前記ピックアップベースの透孔に挿通され、前記ステム部が前記ピックアップベースの外側に突出した状態で前記ピックアップベースに固定され、
前記ホルダベースは、前記ピックアップベースの当接面と前記ステム部との間で前記キャップ部の周囲に配設され、前記ホルダ本体は、前記係合凹所内に前記ステム部を収容した状態で前記ホルダベースに重ねて設けられている請求項１に記載の光ピックアップ装置。
【請求項３】
前記ステム部は、前記光軸方向に延びた周面を有し、前記ホルダ本体の係合凹所は、前記ステム部の周面の少なくとも一部に面接触した内面を有している請求項２に記載の光ピックアップ装置。
【請求項４】
前記ホルダベースは、前記第１接触面を貫通して延びているともに前記ステム部を挿通可能な大きさの内孔を有し、環状に形成されている請求項２に記載の光ピックアップ装置。
【請求項５】
前記ホルダベースは、前記キャップ部が挿通された内孔と、前記内孔に連通しているとともに前記キャップ部が通過可能な開口部を有している請求項２に記載の光ピックアップ装置。
【請求項６】
前記ホルダベースの第２接触面は凹状の球面状に形成され、前記ホルダ本体の第３接触面は凸状の球面状に形成されている請求項１ないし５のいずれか１項に記載の光ピックアップ装置。
【請求項７】
ピックアップベースと、前記ピックアップに保持された光学系と、前記ピックアップベースに固定され、レーザ光を出射する発光素子と、前記発光素子に接触して前記ピックアップベースに取り付けられ、前記発光素子の熱を前記ピックアップベースに伝熱する伝熱ホルダと、を備え、前記ピックアップベースは、前記発光素子に隣接して位置した平坦な当接面を有し、前記伝熱ホルダは、前記発光素子を挿通可能に発光素子を囲んで配設され、前記当接面に面接触した平坦な第１接触面と、この第１接触面と反対側に位置した球面状の第２接触面と、を有したホルダベースと、前記発光素子を覆って前記ホルダベースに重ねて設けられ、前記ホルダベースの第２接触面に面接触した球状の第３接触面と、前記第３接触面に形成され前記発光素子に接触した内面を有する係合凹所とを備えたホルダ本体と、を具備している光ピックアップ装置の製造方法において、
前記ピックアップベースに搭載された光学系に対して、前記発光素子を位置調整した後、前記ピックアップベースに固定し、
前記ホルダベースの第１接触面を前記ピックアップベースの当接面に面接触させた状態で、前記ホルダベースを前記発光素0子の周囲に配置し、
前記ホルダ本体を前記発光素子に被せて前記発光素子の光軸方向に沿って移動させ、前記係合凹所に前記発光素子を係合させるとともに、ホルダ本体の第３接触面を前記ホルダベースの第２接触面に接触させ、前記ホルダベースを前記当接面に沿って変位させることにより前記第２接触面と第３接触面とが面接触する位置に位置合わせし、
前記ホルダ本体の装着後、前記ホルダ本体およびホルダベースを前記ピックアップベースに固定する光ピックアップ装置の製造方法。
【請求項８】
光ディスクを支持および回転する駆動部と、
前記駆動部に支持された光ディスクにレーザ光を照射し光ディスクに対して情報の記録、再生を行う光ピックアップ装置と、を備え、
前記光ピックアップ装置は、
ピックアップベースと、
前記ピックアップベースに保持された光学系と、
前記光学系に対して位置調整された状態で前記ピックアップベースに固定され、レーザ光を出射する発光素子と、
前記発光素子に接触して前記ピックアップベースに取り付けられ、前記発光素子の熱を前記ピックアップベースに伝熱する伝熱ホルダと、を備え、
前記ピックアップベースは、前記発光素子に隣接して位置した平坦な当接面を有し、
前記伝熱ホルダは、
前記発光素子を挿通可能に発光素子を囲んで配設され、前記当接面に面接触した平坦な第１接触面と、この第１接触面と反対側に位置した球面状の第２接触面と、を有し、前記発光素子に対して前記当接面の面方向に沿って移動可能なホルダベースと、
前記発光素子を覆って前記ホルダベースに重ねて設けられ、前記ホルダベースの第２接触面に面接触した球状の第３接触面と、前記第３接触面に形成され前記発光素子に接触した内面を有する係合凹所とを備えたホルダ本体と、を具備している光ディスク装置。
【発明の詳細な説明】
【技術分野】
【０００１】
本発明は、ＣＤ（Compact Disc）、ＤＶＤ(Digital Versatile Disk)、ＨＤ−ＤＶＤ(High Definition Digital Versatile Disk)等の光ディスクに対して情報を記録／再生する光ピックアップ装置を備えた光ディスク装置、および光ピックアップ装置の製造方法に関する。
【背景技術】
【０００２】
光ディスク記録再生装置（以下、光ディスク装置と称する）は、記録媒体としての光ディスクに対してデータを記録、再生する光ピックアップ装置を備えている。この光ピックアップ装置は、通常、発光素子としてのレーザビームを出射するレーザダイオード、受光素子、レーザダイオードから出射されたレーザビームを光ディスクに導くとともに、光ディスクで反射したレーザビームを受光素子に導く光学系を備え、これらは、金属製のピックアップベースに搭載されている。光学系は、例えば、対物レンズ、コリメータレンズ、ビームスプリッタ等を含んで構成されている。
【０００３】
近年、光ディスク記録再生装置（以下、光ディスク装置と称する）に対し、一層の高性能化や薄型化の要請が高まっている。これに伴い、光学系に対するレーザダイオードの位置調整を精度良く行うことが要求される。
【０００４】
一般に、レーザダイオードは、その光軸が適正な向きとなるように、ミラー出射の光軸、及び、光量分布をモニタしながら、Ｘ軸（出射するレーザ光に直交する平面上で光ディスク表面と略平行な方向）、Ｙ軸（出射するレーザ光に直交する平面上でＸ軸と直交する方向）、Ｚ軸（出射するレーザ光方向）、法線方向角（Ｙ軸−Ｚ軸方向角）、水平方向角（Ｘ軸−Ｚ軸方向角）の５軸方向に調整され、この調整後、紫外線硬化型の接着剤等を用いて光学ベースに固定されている。
【０００５】
一般的に、レーザダイオードが光学ベースに対して直接接触していない状態で固定されている場合が多く、そのため、レーザダイオードから光学ベースへの熱伝導効率が下がり、特に、発熱量の大きな高倍速記録用のレーザダイオードの温度が上昇してしまう。レーザダイオードの発熱量が大きくなった場合、放熱が不充分となり、レーザダイオードの性能、及び、寿命の低下に繋がるおそれがある。
【０００６】
そこで、光学ベースとレーザダイオードとの間の熱伝導効率を上げるため、光学ベースとレーザダイオードとの間に熱媒体となる部品、すなわち、レーザダイオードのステム部と光学ベースとに略接触してレーザダイオードのステム部外周を覆うホルダ、を用いることが提案されている（例えば、特許文献１参照）。
【０００７】
また、レーザダイオードが取り付けられたホルダを光学ベースに対して位置調整可能に接続した光ピックアップ装置が提案されている（例えば、特許文献２）。この装置によれば、ホルダは、光学ベースに接着固定された板金製の取付け具と、レーザダイオードを保持しているとともに取付け具に固定されたホルダ本体とを有している。ホルダ本体は、取付け具を弾性変形させることにより、所定位置に位置調整されている。
【特許文献１】特開２００５−１０８３００号公報
【特許文献２】特開２００６−１３４４０８号公報
【発明の開示】
【発明が解決しようとする課題】
【０００８】
しかしながら、特許文献１に開示された光ピックアップ装置において、ホルダは、種々の調整位置に取り付けられたレーザダイオードに対して装着できるように、内側の係合部分のみがレーザダイオードに接触し、他の大部分はレーザダイオードと隙間を持って対向している。また、レーザダイオードが光学ベースに対して傾いた位置に固定されている場合、ホルダは光学ベースに対して充分に密着した状態とならず、隙間が生じている。
【０００９】
そのため、特許文献１に開示された光ピックアップ装置では、レーザダイオードの熱をホルダを通して光学ベースに効率良く逃がすことが難しい。上記隙間に放熱樹脂を充填することも考えられるが、伝熱効率を上げることは難しい。
【００１０】
特許文献２に開示された光ピックアップ装置によれば、レーザダイオードが固定されたホルダ本体は、取付け具を弾性変形させることにより光学ベースに対して位置調整された後、取付け具に接着固定されている。そのため、取付け具に残留応力が残り、接着後の経時変化によりレーザダイオードの位置が変化する可能性がある。
【００１１】
この発明は以上の点に鑑みてなされたもので、その目的は、発光素子の放熱効果を促進する伝熱ホルダを容易にかつ正確に取り付けることができ、発光素子の放熱性に優れ発光素子の性能維持と耐久性の向上を図ることができる光ピックアップ装置、これを備えた光ディスク装置、および光ピックアップ装置の製造方法を提供することにある。
【課題を解決するための手段】
【００１２】
この発明の態様に係る光ピックアップ装置は、ピックアップベースと、前記ピックアップに保持された光学系と、前記光学系に対して位置調整された状態で前記ピックアップベースに固定され、レーザ光を出射する発光素子と、前記発光素子に接触して前記ピックアップベースに取り付けられ、前記発光素子の熱を前記ピックアップベースに伝熱する伝熱ホルダと、を備え、前記ピックアップベースは、前記発光素子に隣接して位置した平坦な当接面を有し、  
前記伝熱ホルダは、前記発光素子を挿通可能に発光素子を囲んで配設され、前記当接面に面接触した平坦な第１接触面と、この第１接触面と反対側に位置した球面状の第２接触面と、を有し、前記発光素子に対して前記当接面の面方向に沿って移動可能なホルダベースと、前記発光素子を覆って前記ホルダベースに重ねて設けられ、前記ホルダベースの第２接触面に面接触した球状の第３接触面と、前記第３接触面に形成され前記発光素子に接触した内面を有する係合凹所とを備えたホルダ本体と、を具備している。
【００１３】
この発明の他の態様に係る光ピックアップ装置の製造方法は、ピックアップベースに搭載された光学系に対して、発光素子を位置調整した後、前記ピックアップベースに固定し、ホルダベースの第１接触面を前記ピックアップベースの当接面に面接触させた状態で、前記ホルダベースを前記発光素子の周囲に配置し、ホルダ本体を前記発光素子に被せて前記発光素子の光軸方向に沿って移動させ、ホルダ本体の係合凹所に前記発光素子を係合させるとともに、ホルダ本体の第３接触面を前記ホルダベースの第２接触面に接触させ、前記ホルダベースを前記当接面に沿って変位させることにより前記第２接触面と第３接触面とが面接触する位置に位置合わせし、前記ルダ本体の装着後、前記ホルダ本体およびホルダベースを前記ピックアップベースに固定している。
【発明の効果】
【００１４】
上記構成によれば、正確な位置に発光素子を取り付けた上で、効率良く、適切な位置に伝熱ホルダを取り付けることができ、発光素子の放熱性に優れ、発光素子の性能維持および耐久性の向上を図ることが可能な光ピックアップ装置、その製造方法、および光ディスク装置を提供することができる。
【発明を実施するための最良の形態】
【００１５】
以下、図面を参照しながら、この発明の実施形態に係る光ディスク装置について詳細に説明する。
【００１６】
図１は、この発明が適用される光ディスク装置１の構成を示すブロック図である。光ディスク１０２は、例えばＤＶＤ−ＲＡＭのようなユーザデータを記録可能な光ディスクである。光ディスク１０２の表面にはスパイラル状にランドトラックおよびグループトラックが形成され、この光ディスク１０２はディスクモータ１０３によって回転駆動される。ディスクモータ１０３はディスクモータ制御回路１０４によって制御されている。
【００１７】
光ディスク１０２に対する情報の記録、再生は、光ピックアップ装置１０によって行われる。光ピックアップ装置１０には、対物レンズ１８ｅを含む光学系１４が設けられている。対物レンズ１８ｅは、調整機構２０を構成するフォーカス方向駆動コイル７の駆動によりフォーカスシング方向（レンズの光軸方向）への移動が可能で、またトラック方向駆動コイル８の駆動によりトラッキング方向（光ディスク１０２のトラック方向）への移動が可能である。
【００１８】
変調回路１０９は情報記録時にホスト装置１２３からインターフェース回路１２２を介して供給されるデータを変調し、変調されたデータをレーザ制御回路１１０へ提供する。レーザ制御回路１１０は情報記録時（マーク形成時）に、変調回路１０９から供給される変調されたデータに基づいて、書き込み用信号を光ピックアップ装置１０内のレーザダイオード１６に供給する。
【００１９】
レーザダイオード１６は、レーザ制御回路１１０から供給される信号に応じてレーザ光を発生する。レーザダイオード１６から発せられるレーザ光は、光学系１４及び対物レンズ１８ｅを介して光ディスク１０２に照射される。光ディスク１０２からの反射光は、光学系１４を介して光ピックアップ５内の受光素子１１３に導かれる。受光素子１１３からの出力信号は、信号処理回路１１４へ供給される。
【００２０】
信号処理回路１１４は、フォーカスエラー信号及びトラッキング信号を生成し、サーボ回路１１５へ出力する。サーボ回路１１５は、フォーカスシング制御信号及びトラッキング制御信号を生成する。それらの信号は、光ピックアップ装置１０のフォーカス方向駆動コイル及びトラック方向駆動コイルに供給され、レーザ光が光ディスク１０２の情報記録面上のトラックに追従し常時ジャストフォーカスとなるように対物レンズ１８ｅが制御される。また信号処理回路１１４は、記録データのデータ再生信号を生成し、データ再生回路１１６へ出力する。
【００２１】
データ再生回路１１６は、ＰＬＬ回路１１７からの再生用クロック信号に基づき、記録データを再生する。データ再生回路１１６で再生された再生データは、付与されているエラー訂正コードを用いて図示しないエラー訂正回路でエラー訂正を行った後、インターフェース回路１２２を介してホスト装置２３に出力される。
【００２２】
ＣＰＵ１１９はインターフェース回路１２２を介してホスト装置１２３から供給される動作コマンドに従って、この光ディスク装置１を総合的に制御する。また、ＣＰＵ１１９は、ＲＡＭ（Random Access Memory）１２０を記録再生時のバッファメモリ等の作業エリアとして使用し、ＲＯＭ（Read Only Memory）１２１に記憶されたプログラムに従った所定の制御を行う。
【００２３】
次に、光ピックアップ装置１０について詳細に説明する。  
図２は光ピックアップ装置の図示しない光ディスクと対向する上面側から見た平面図、図３は、光ピックアップ装置の光学系およびレーザダイオードを光ピックアップ装置の下面側から見た斜視図、図４はレーザダイオードおよび伝熱ホルダ部分を示す断面図である。
【００２４】
図２および図３に示すように、光ピックアップ装置１０は、偏平なほぼ直方体形状に形成された金属製のピックアップベース１２を備えている。ピックアップベース１２には複数の凹所が形成され、これらの凹所内に、光学系１４、発光素子としての半導体レーザを構成したレーザダイオード１６、図示しない受光素子等が搭載されている。
【００２５】
光学系１４は、プリズム１８ａ、ビームスプリッタ１８ｂ、ミラー１８ｃ、コリメートレンズ１８ｄ、図示しない立上げミラー、および対物レンズ１８ｅ等から主要に構成されている。対物レンズ１８ｅは調整機構２０により、光軸方向およびトラック方向に沿って移動自在に支持され、光ディスクに対するフォーカス調整およびトラック調整が可能となっている。
【００２６】
レーザダイオード１６から出射されたレーザ光は、ビームスプリッタ１８ｂを通り、ミラー１８ｃで所定の角度に反射される。更に、レーザ光は、コリメートレンズ１８ｄを通り、立上げミラーで所定の角度に反射され、対物レンズ１８ｅを通過して光ディスク１０２に照射される。
【００２７】
光ディスク１０２で反射されたレーザ光は、対物レンズ１８ｅを通過し、立上げミラー、コリメートレンズ１８ｄを通り、ミラー１８ｃで所定の角度に反射され、更に、ビームスプリッタ１８ｂ、を通って受光素子１１３に受光される。これにより、光ディスク１０２に対して情報を記録、或いは、光ディスクに記録されている情報を再生する。
【００２８】
図２ないし図４に示すように、ピックアップベース１２の短辺側の端面には、レーザダイオード１６の取付け部２２が形成されている。この取付け部２２は、外側に開放した平坦な当接面２４、この当接面を貫通して延びた透孔２６、透孔に隣接して形成され外面に開口した位置決め用の切欠き部２７を有している。
【００２９】
一方、図４、図５、および図６に示すように、レーザダイオード１６は、出射端を有した筒状のキャップ部１６ａと、キャップ部の基端部に設けられキャップ部よりも大径のステム部１６ｂとを有している。ステム部１６ｂからは、複数の入力端子が延出している。ステム部１６ｂは、レーザダイオードの光軸方向、ここでは、キャップ部１６ａの軸方向に延びた円柱形上の周面を有している。周面の上下部分は、略平行に対向するように平坦にカットされ一対の平坦な側面２６ａを形成し、他の部分は、互いに対向した２つの円筒面２６ｂを形成している。２つの円筒面２６ｂには、レーザ光の出射方向と略平行に延びたＶ溝２８がそれぞれ形成されている。
【００３０】
図４および図７に示すように、レーザダイオード１６は、そのキャップ部１６ａがピックアップベース１２の透孔２６に隙間を持って挿通され、ステム部１６ｂがピックアップベースの外側に突出した状態で配置され、例えば、紫外線硬化型の接着剤３０により、透孔２６内でピックアップベース１２に接着固定されている。
【００３１】
レーザダイオード１６は、光学系１４に対して適正位置に位置調整された後、ピックアップベース１２に固定される。すなわち、光学系１４の対物レンズ１８ｅから出射されるレーザ光の光軸および光量分布をモニタしながら、レーザダイオード１６をＸ軸（出射するレーザ光に直交する平面上で光ディスク表面と略平行な方向）、Ｙ軸（出射するレーザ光に直交する平面上でＸ軸と直交する方向）、Ｚ軸（出射するレーザ光方向）、法線方向角（Ｔａｎ方向、Ｙ軸−Ｚ軸方向角）、水平方向角（Ｒａｄ方向、Ｘ軸−Ｚ軸方向角）の５軸方向に調整を行ない、レーザ光の光軸および光分布が適正となるように位置合わせする。位置調整後、レーザダイオード１６はピックアップベース１２に接着固定される。
【００３２】
図２ないし図６に示すように、光ピックアップ装置１０は、レーザダイオード１６で発生する熱をピックアップベース１２に伝熱する伝熱ホルダ４０を備えている。伝熱ホルダ４０は、例えば、矩形環状のホルダベース４２と、ホルダベースに重ねて配置されたほぼ直方体形状のホルダ本体４４とを有している。これらホルダベース４２およびホルダ本体４４は、例えば、アルミダイカストや亜鉛ダイカスト等の放熱性、熱伝導性に優れた材質で形成されている。
【００３３】
ホルダベース４２は、平坦な第１接触面４２ａと、この第１接触面と反対側に位置した凹の球面状の第２接触面４２ｂと、これら第１および第２接触面を貫通して延びた内孔４２ｃとを有している。内孔４２ｃは、レーザダイオード１６のステム部１６ｂの径よりも大きな径を有し、外側からステム部を通過可能に形成されている。ホルダベース４２は、第１接触面４２ａがピックアップベース１２の当接面２４に面接触した状態で、レーザダイオード１６のキャップ部１６ａを囲んで配設され、当接面２４とステム部１６ｂとの間に位置している。ホルダベース４２は、第１接触面４２ａが当接面２４に面接触した状態で、Ｘ方向およびＹ方向、すなわち、当接面２４の面方向に沿って位置調整可能となっている。
【００３４】
また、ホルダベース４２は、第１接触面４２ａの下縁部から突出した板状の位置決め突起４３を有している。ホルダベース４２をピックアップベース１２の取付け部２２に装着する際、位置決め突起４３は切欠き部２７に緩く嵌められ、ホルダベース４２を取付け部２２に対して概略的に位置決めする。
【００３５】
ホルダ本体４４は、レーザダイオード１６のステム部１６ｂを覆って、かつ、ホルダベース４２に重ねて設けられている。ホルダ本体４４は、ホルダベース４２の第２接触面４２ｂに面接触した凸の球面状の第３接触面４４ａと、第３接触面に形成された係合凹所４６と、を有している。係合凹所４６は、ステム部１６ｂの輪郭に対応した形状に形成されている。ホルダ本体４４は、係合凹所４６内にステム部１６ｂが収納した状態で、レーザダイオード１６に被されている。この際、係合凹所４６の内面の少なくとも一部は、本実施形態では、内面のほぼ全周が、ステム部１６ｂの一対の平坦な側面２６ａおよび２つの円筒面２６ｂに接触している。
【００３６】
係合凹所４６の内面には、互いに対向した一対の係合凸部４８が突設されている。これらの係合凸部４８は、それぞれステム部１６ｂのＶ溝２８に係合している。なお、係合凹所４６の底面とステム部１６ｂの端面との間には隙間があってもよい。係合凹所４６の底面には、開口５０が形成されている。ステム部１６ｂから突出した入力端子は、開口５０を通って延びている。
【００３７】
ステム部１６ｂの外周面が係合凹所４６の内面に面接触した状態でホルダ本体４４をレーザダイオード１６に装着することにより、ホルダ本体４４は、位置調整されたレーザダイオードに対し、Ｚ方向を除き、Ｘ、Ｙ方向位置、ｔａｎ、ｒａｄ位置に追従した位置に装着される。また、ホルダ本体４４をＺ方向に沿って外側からステム部１６ｂに装着することにより、凸の球面状の第３接触面４４ａがホルダベース４２の第２接触面４２ｂに当接する。この際、第２接触面４２ｂは凹の球面であることから、ホルダベース４２は、ホルダ本体４４の位置に追従してＸ方向、Ｙ方向に変位し、その結果、第３接触面４４ａは第２接触面４２ｂに面接触する。
【００３８】
所定の位置に装着されたホルダベース４２およびホルダ本体４４は、その外周部をピックアップベース１２に接着することにより、ピックアップベースの取付け部２２に固定されている。接着には、例えば、紫外線硬化型の接着剤５２を用いることができる。なお、加工誤差等に起因して、第２接触面４２ａと第３接触面４４ａとの間に僅かな隙間が生じる場合には、これらの間に伝熱性グリースを充填してもよい。
【００３９】
上記構成において、光ピックアップ装置１０の動作時、レーザダイオード１６が発熱し昇温すると、この熱は、ホルダ本体４４に伝熱され、更に、ホルダベースを通してピックアップベース１２に伝熱される。そして、この熱は、伝熱ホルダ４０およびピックアップベース１２から外方に放熱される。これにより、レーザダイオードの過度の温度上昇が防止される。
【００４０】
次に、上記のように構成された光ピックアップ装置の製造方法について説明する。  
まず、ピックアップベース１２に光学系１４、受光素子、焦点調整機構２０等の構成要素を搭載し、所定位置に取り付ける。続いて、図６および図７に示すように、レーザダイオード１６をピックアップベース１２の取付け部２４に配置した後、レーザダイオードを光学系１４に対して適正位置に位置調整する。すなわち、光学系１４の対物レンズ１８ｅから出射されるレーザ光の光軸および光量分布をモニタしながら、レーザダイオード１６をＸ軸、Ｙ軸、Ｚ軸、Ｔａｎ方向、Ｒａｄ方向の５軸方向の少なくとも１方向に調整を行ない、レーザ光の光軸および光分布が適正となるように位置に合わせる。そして、位置調整後、レーザダイオード１６のキャップ部１６ａをピックアップベース１２に接着固定する。
【００４１】
次いで、レーザダイオード１６に伝熱ホルダ４０を装着する。この場合、図９に示すように、ホルダベース４２を、レーザダイオード１６の外側からＺ軸方向に沿って移動させてレーザダイオードを内孔４２ｃに挿通する。これにより、ホルダベース４２をレーザダイオード１６の周囲に配置するとともに、ホルダベースの第１接触面４２ａを取付け部２２の当接面２４に面接触させる。この状態で、ホルダベース４２は、当接面２４の面方向に沿ってＸ方向、Ｙ方向に変位可能となっている。
【００４２】
続いて、図１０に示すように、ホルダ本体４４を、レーザダイオード１６の外側からＺ軸方向に沿って移動させ、レーザダイオードのステム部１６ｂに被せるとともに、ホルダ本体４４の係合凹所４６にステム部１６ｂを嵌合する。この際、係合凹所４６の係合凸部４８をステム部４６ｂのＶ溝２８にそれぞれ係合させた状態で、ホルダ本体４４をＺ軸方向にスライドさせる。
【００４３】
これにより、係合凹所４６の内面がステム部１６ｂの外周面に面接触し、ホルダ本体４４は、位置調整されたレーザダイオードに対し、Ｚ方向を除き、Ｘ、Ｙ方向位置、ｔａｎ、ｒａｄ位置に追従した位置に装着される。ホルダ本体４４をＺ方向に沿って外側からステム部１６ｂに装着することにより、凸の球面状の第３接触面４４ａがホルダベース４２の第２接触面４２ｂに当接する。この際、第２接触面４２ｂは凹状の球面であることから、ホルダベース４２は、ホルダ本体４４の位置に追従してＸ方向、Ｙ方向に変位し、その結果、第３接触面４４ａは第２接触面４２ｂに面接触する。
【００４４】
その後、ホルダベース４２およびホルダ本体４４の外周部を、例えば、紫外線硬化型の接着剤５２によりピックアップベース１２に接着する。これにより、伝熱ホルダ４０がピックアップベースの取付け部２２に取り付けられる。なお、ホルダの加工誤差等に起因して、第２接触面４２ａと第３接触面４４ａとの間に僅かな隙間が生じる場合には、これらの間に伝熱グリースを充填してもよい。また、係合凹所４６の内面とステム部外面との間に隙間が生じる場合は、この隙間に伝熱グリースを充填してもよい。
【００４５】
図４は、レーザダイオード１６自体が精度良く形成され、理想的な適正位置に固定された状態を示している。これに対して、図１１は、レーザダイオード１６固有のばらつきにより、位置調整後の適正なレーザダイオード固定位置が、図４に示した理想位置から例えば３度傾いた状態を示している。図１２は、位置調整後の適正なレーザダイオード固定位置が、図１１に示した固定位置から更にＸ方向にずれている状態を示し、図１３は、更に、Ｚ方向にずれている状態を示している。このように、レーザダイオード１６がいずれの適正位置に位置調整されている場合でも、ホルダ本体４４は、レーザダイオードに装着するだけで、レーザダイオードの位置に追従して適切な位置に配置され、ホルダベースもホルダ本体４４の装着位置に追従し、ホルダ本体と面接触する位置に自動的に配置される。従って、レーザダイオード１６がいずれの適正位置に位置調整されている場合でも、伝熱ホルダ４０をレーザダイオードに対して容易にかつ確実に装着することができ、かつ、高い伝熱性および放熱性を実現することができる。
【００４６】
上記のように構成された光ピックアップ装置１０によれば、レーザダイオード１６は、光学系１４に対して適性位置に位置調整された状態でピックアップベース１２に固定され、伝熱ホルダ４０は、レーザダイオードの調整位置に追従した状態でレーザダイオードおよびピックアップベースに装着されている。そして、ホルダ本体はレーザダイオードの広い面積に亘って面接触し、ホルダベースの第１接触面もピックアップベース１２に対して面接触している。更に、ホルダ本体およびホルダベースは、球状の接触面を介して互いに広い範囲に亘って面接触している。そのため、レーザダイオードの熱を伝熱ホルダにより効率よくピックアップベースに伝熱し放熱することができる。これにより、発光素子の放熱性に優れ発光素子の性能の維持と耐久性の向上を図ることが可能な光ピックアップ装置、その製造方法、および光ディスク装置が得られる。
【００４７】
また、伝熱ホルダ４０を取り付ける際には、レーザダイオードを正確に位置調整した上でホルダをＺ軸方向に移動させて、レーザダイオードに無理な外力を加えることなく取り付けることができる。そのため、レーザダイオードの位置を正確に保つことができる。また、ホルダ本体は、レーザダイオードの位置に追従して自然に決定され、更に、ホルダベースもホルダ本体の位置に追従して所望の面接触位置に整列される。従って、伝熱ホルダの取り付けが容易で、作業効率も高い。更に、伝熱ホルダの位置を調整する部品が必要無く、組み立て工数も削減することが可能となる。
【００４８】
なお、この発明は上記実施形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４９】
例えば、前述した実施形態において、ホルダベースの第２接触面を凹状の球面形状とし、ホルダ本体の第３接触面を凸状の球面形状としたが、逆に、第２接触面を凸状球面、第３接触面を凹状球面としてもよい。
【００５０】
また、ホルダベースは、調整位置に固定されたレーザダイオードに対して、外側から装着できる構成であればよく、環状に限らず、他の形状としてもよい。例えば、図１４に示す他の実施形態によれば、ホルダベース４２は、ほぼＵ字形状に形成され、レーザダイオード１６のキャップ部１６ａが挿通される内孔４２ｃと、この内孔に連通しているとともにキャップ部が通過可能な開口部５６とを有している。また、ホルダベース４２は、ピックアップベース１２の当接面に面接触する平坦な第１接触面４２ａと、ホルダ本体４４と面接触する球状の第２接触面４２ｂとを有している。
【００５１】
ホルダベース４２は、装着時、キャップ部１６ａの側方から、開口部５６にキャップ部を通すことにより、キャップ部の周囲に配置され、ピックアップベースに面接触する。その後、上述した第１の実施形態と同様に、ホルダ本体４４がレーザダイオード１６およびホルダベース４２に重ねて装着される。上記構成のホルダベース４２を用いた場合でも、上述した第１の実施形態と同様の作用効果が得られる。
【００５２】
発光素子は、ＤＶＤメディア用のレーザダイオードに限らず、ＣＤメディア用のレーザダイオードを適用してもよい。また、発光素子として、ＤＶＤメディア用およびＣＤメディア用の２波長のレーザ光を出射するレーザダイオードを用いてもよい。
【図面の簡単な説明】
【００５３】
【図１】図１は、この発明の実施形態に係る光ディスク装置を概略的に示すブロック図。
【図２】図２は、この発明の実施形態に係る光ピックアップ装置の光ディスク側を示す平面図。
【図３】図３は、前記光ピックアップ装置の光学系およびレーザダイオードを光ピックアップ装置の下面側から見た斜視図。
【図４】図４は、レーザダイオードおよび伝熱ホルダ部分を示す断面図。
【図５】図５は、前記レーザダイオードおよび伝熱ホルダを示す分解斜視図。
【図６】図６は、前記レーザダイオードおよび伝熱ホルダを図４とは異なる方向から示す分解斜視図。
【図７】図７は、ピックアップベースの取付け部に対するレーザダイオードの位置調整方向を示す斜視図。
【図８】図８は、前記光ピックアップ装置の製造工程において、ピックアップベースにレーザダイオードを固定した状態を示す斜視図。
【図９】図９は、前記光ピックアップ装置の製造工程において、レーザダイオードにホルダベースを装着した状態を示す斜視図。
【図１０】図１０は、前記光ピックアップ装置の製造工程において、レーザダイオードにホルダベースおよびホルダ本体を装着した状態を示す斜視図。
【図１１】図１１は、理想位置に対してある角度傾斜した位置にレーザダイオードが調整配置された状態を示す断面図。
【図１２】図１２は、理想位置に対してある角度傾斜し、かつ、Ｘ軸方向にずれた位置にレーザダイオードが調整配置された状態を示す断面図。
【図１３】図１３は、理想位置に対してある角度傾斜し、かつ、Ｚ方向にずれた位置にレーザダイオードが調整配置された状態を示す断面図。
【図１４】図１４は、他の実施形態に係る伝熱ホルダのホルダベースおよびレーザダイオードを示す斜視図。
【符号の説明】
【００５４】
１…光ディスク装置、１０…光ピックアップ装置、１２…ピックアップベース、
１４…光学系、１６…レーザダイオード、１６ａ…キャップ部、１６ｂ…ステム部、
１８ｅ…対物レンズ、２２取付け部、２４…当接面、２６…透孔、３０…接着剤、
４０…伝熱ホルダ、４２…ホルダベース、４２ａ…第１接触面、４２ｂ…第２接触面、
４２ｃ…内孔、４４…ホルダ本体、４４ａ…第３接触面、４６…係合凹所、
１０２…光ディスク
【図１】
2008299973.tif 000003
【図２】
2008299973.tif 000004
【図３】
2008299973.tif 000005
【図４】
2008299973.tif 000006
【図５】
2008299973.tif 000007
【図６】
2008299973.tif 000008
【図７】
2008299973.tif 000009
【図８】
2008299973.tif 000010
【図９】
2008299973.tif 000011
【図１０】
2008299973.tif 000012
【図１１】
2008299973.tif 000013
【図１２】
2008299973.tif 000014
【図１３】
2008299973.tif 000015
【図１４】
2008299973.tif 000016